(57)【要約】【課題】  所定の場所に設置された処理装置と携帯通信装置が近接通信を行う際の待ち時間を効率的に利用することが可能なサービス提供方法、処理装置および携帯通信装置を提供する。【解決手段】  携帯電話１２−１がＲ／Ｗ装置１６に近接すると、Ｒ／Ｗ装置１６を介してパーソナルコンピュータ１４と通信を行う。そして、当該通信中に、携帯電話１２−１およびパーソナルコンピュータ１４のディスプレイ５４，６４に広告動画を表示する。そのため、携帯電話１２−１のユーザは、通信終了までの待ち時間にディスプレイ５４，６４に表示された広告動画を見ることになり、広告効果を高めることができる。【選択図】  図１
2010068106.tif 000002
【特許請求の範囲】
【請求項１】
近接通信機能を有する携帯通信装置を用いたサービス提供方法であって、
前記携帯通信装置が、所定の場所に設置された処理装置と近接通信を行って、前記携帯通信装置に記憶されている属性情報を前記処理装置に送信する第１の工程と、
前記処理装置が、前記携帯通信装置と通信中に、前記第１の工程で受信した前記属性情報に応じた広告画像を選択して当該処理装置のディスプレイに表示する第２の工程と、
前記第２の工程と同時あるいは異なるタイミングで、前記携帯通信装置が前記処理装置と通信中に当該携帯通信装置のディスプレイに広告画像を表示する第３の工程と
を有するサービス提供方法。
【請求項２】
前記第３の工程において、前記携帯通信装置が、前記処理装置から広告画像を受信し、
前記携帯通信装置は、前記処理装置から前記広告画像の受信を完了するまでの間、当該携帯通信装置に予め記憶されたデフォルト広告画像を表示し、前記処理装置から前記広告画像の受信を完了した後は当該受信した広告画像を表示する
請求項１に記載のサービス提供方法。
【請求項３】
前記携帯通信装置がサーバとの間で所定のサービスを受けるための通信を行っている間に、前記デフォルト広告画像を前記携帯通信装置に送信する第４の工程
をさらに有する請求項１または請求項２に記載のサービス提供方法。
【請求項４】
前記広告画像には、デジタルコンテンツデータが対応付けられており、
前記携帯通信装置が、前記広告画像を前記ディスプレイに表示したことを条件として、前記デジタルコンテンツデータの利用を許可する第５の工程
をさらに有する請求項１〜３のいずれかに記載のサービス提供方法。
【請求項５】
前記携帯通信装置が、前記広告画像とそれに関連付けられたデジタルコンテンツデータとを一体として他の前記携帯通信装置に送信する第６の工程
をさらに有する
請求項１〜４のいずれかに記載のサービス提供方法。
【請求項６】
前記携帯通信装置および前記他の携帯通信装置の少なくとも一方において、前記送信中に広告動画を表示する
請求項５に記載のサービス提供方法。
【請求項７】
前記携帯通信装置がサーバに会員登録処理を行わせたことを条件に、前記携帯通信装置が前記デジタルコンテンツデータを利用することを許可する
請求項１〜６のいずれかに記載のサービス提供方法。
【請求項８】
前記携帯通信装置が前記サーバと通信を行って前記会員登録処理を行っている間に、前記広告画像を当該携帯通信装置のディスプレイに表示する
請求項７に記載のサービス提供方法。
【請求項９】
前記携帯通信装置は、前記広告画像と前記デジタルコンテンツデータとの組み合わせパターンを示す組み合わせデータに基づいて、前記デジタルコンテンツデータの利用時に表示する広告画像を決定する
請求項１〜８のいずれかに記載のサービス提供方法。
【請求項１０】
前記携帯通信装置は、前記処理装置あるいはサーバと通信時に、前記組み合わせデータを更新する
請求項９に記載のサービス提供方法。
【請求項１１】
前記携帯通信装置は、他の前記携帯通信装置との間で前記広告画像と前記デジタルコンテンツデータとの転送を行った場合に、その履歴を示すコンテンツ転送履歴データを更新し、
前記携帯通信装置は、サーバとの通信時に、前記コンテンツ転送履歴データを前記サーバに送信する
請求項５に記載のサービス提供方法。
【請求項１２】
前記サーバは、前記携帯通信装置から受信した前記コンテンツ転送履歴データを基に、同じあるいは同種のデジタルコンテンツデータを近距離通信で転送したユーザグループを対象として所定のサービスを提供するための処理を行う
請求項１１に記載のサービス提供方法。
【請求項１３】
携帯通信装置と直接あるいは間接的に近接通信を行う通信手段と、
広告画像とデジタルコンテンツデータとを対応づけて記憶する記憶手段と、
ディスプレイと、
前記通信手段を介して前記携帯通信装置から受信した属性データを基に前記記憶手段から選択して読み出した前記広告動画とそれに対応付けられたデジタルコンテンツデータを前記通信手段を介して前記携帯通信装置に送信し、当該送信の間に、前記記憶手段から前記属性データを基に選択して読み出した前記広告画像を前記ディスプレイに表示する制御手段と
を有する処理装置。
【請求項１４】
携帯通信装置が、所定の場所に設置された処理装置と近接通信を行って広告動画とそれに対応付けられたデジタルコンテンツデータを受信し、前記処理装置と通信中で前記広告動画が受信完了するまでの間、予め取得したデフォルト広告画像を前記携帯通信装置のディスプレイに表示するシステムに用いられるサーバであって、
前記携帯通信装置が前記デジタルコンテンツデータの利用をするため会員登録処理を行う会員登録手段と、
前記携帯通信装置との間で通信を行っている間に、当該携帯通信装置に記憶されている前記デフォルト広告画像を更新する更新手段と
を有するサーバ。
【請求項１５】
デフォルト広告画像を記憶する記憶手段と、
所定の場所に設置された処理装置と直接あるいは間接にて近接通信機能を備え、処理装置と近接通信を行って広告動画とそれに対応付けられたデジタルコンテンツデータを受信して前記記憶手段に書き込む処理回路と、
ディスプレイと、
ネットワーク通信手段と、
前記処理装置から前記広告画像を近接通信により受信完了するまでの間、前記メモリに記憶された前記デフォルト広告画像を前記ディスプレイに表示し、前記処理装置から前記広告画像の受信を完了した後は当該受信した広告画像を前記ディスプレイに表示する制御手段と
を有する携帯通信装置。
【請求項１６】
前記制御手段は、前記ネットワーク通信手段を介してサーバと通信中に当該サーバから受信したデフォルト広告画像で前記メモリに記憶された前記デフォルト広告画像を更新する
請求項１５に記載の携帯通信装置。
【発明の詳細な説明】
【技術分野】
【０００１】
本発明は、広告を使いながらコンテンツを提供するサービスを行うサービス提供方法、サーバおよび携帯通信装置に関するものである。
【背景技術】
【０００２】
現在、携帯電話等の携帯通信装置を用いて、各種のサービスが提供されたおり、動画や音楽などのデジタルコンテンツデータの提供が行われている。
ところで、携帯通信装置には近接通信機能を備えたＩＣチップが搭載され、店舗等に設置された機器に近づけることで、当該機器から携帯通信装置にサービスに関する各種のデータが送信される。
当該通信には、数秒あるは数分要することがあり、その間に携帯通信装置には通信中を示すマークが表示されている。
【発明の開示】
【発明が解決しようとする課題】
【０００３】
しかしながら、上述したシステムでは、携帯通信装置のユーザに対して通信中の待ち時間を有効に使っていないという問題がある。
【０００４】
本発明はかかる事情に鑑みてなされたものであり、その目的は、所定の場所に設置された処理装置と携帯通信装置が近接通信を行う際の待ち時間を効率的に利用することが可能なサービス提供方法、処理装置および携帯通信装置を提供することを目的とする。
【０００５】
また、本発明は、携帯通信装置がサーバと通信を行う際の待ち時間を効率的に利用することができるサービス提供方法、処理装置および携帯通信装置を提供することを目的とする。
【課題を解決するための手段】
【０００６】
上述した従来技術の問題を解決し、上述した目的を達成するために、本発明のサービス提供方法は、近接通信機能を有する携帯通信装置を用いたサービス提供方法であって、前記携帯通信装置が、所定の場所に設置された処理装置と近接通信を行って、前記携帯通信装置に記憶されている属性情報を前記処理装置に送信する第１の工程と、前記処理装置が、前記携帯通信装置と通信中に、前記第１の工程で受信した前記属性情報に応じた広告画像を選択して当該処理装置のディスプレイに表示する第２の工程と、前記第２の工程と同時あるいは異なるタイミングで、前記携帯通信装置が前記処理装置と通信中に当該携帯通信装置のディスプレイに広告画像を表示する第３の工程とを有する。
【０００７】
本発明のサービス提供方法では、携帯通信装置と処理装置とが通信中に、携帯通信装置および処理装置のディスプレイに広告画像が表示される。このような通信中は、ユーザは画面を見ながら通信終了を待つことが多く、高い広告効果を発揮できる。
【０００８】
好適には、本発明のサービス提供方法では、前記第３の工程において、前記携帯通信装置が、前記処理装置から広告画像を受信し、前記携帯通信装置は、前記処理装置から前記広告画像の受信を完了するまでの間、当該携帯通信装置に予め記憶されたデフォルト広告画像を表示し、前記処理装置から前記広告画像の受信を完了した後は当該受信した広告画像を表示する。
【０００９】
好適には、本発明のサービス提供方法では、前記携帯通信装置がサーバとの間で所定のサービスを受けるための通信を行っている間に、前記デフォルト広告画像を前記携帯通信装置に送信する第４の工程をさらに有する。
好適には、本発明のサービス提供方法では、前記広告画像には、デジタルコンテンツデータが対応付けられており、前記携帯通信装置が、前記広告画像を前記ディスプレイに表示したことを条件として、前記デジタルコンテンツデータの利用を許可する第５の工程をさらに有する。
【００１０】
好適には、本発明のサービス提供方法では、前記携帯通信装置が、前記広告画像とそれに関連付けられたデジタルコンテンツデータとを一体として他の前記携帯通信装置に送信する第６の工程をさらに有する。
好適には、本発明のサービス提供方法では、前記携帯通信装置がサーバに会員登録処理を行わせたことを条件に、前記携帯通信装置が前記デジタルコンテンツデータを利用することを許可する。
好適には、本発明のサービス提供方法では、前記携帯通信装置が前記サーバと通信を行って前記会員登録処理を行っている間に、前記広告画像を当該携帯通信装置のディスプレイに表示する。
好適には、本発明のサービス提供方法では、前記携帯通信装置は、前記広告画像と前記デジタルコンテンツデータとの組み合わせパターンを示す組み合わせデータに基づいて、前記デジタルコンテンツデータの利用時に表示する広告画像を決定する。
好適には、本発明のサービス提供方法では、前記携帯通信装置は、前記処理装置あるいはサーバと通信時に、前記組み合わせデータを更新する。
【００１１】
好適には、本発明のサービス提供方法では、前記携帯通信装置は、他の前記携帯通信装置との間で前記広告画像と前記デジタルコンテンツデータとの転送を行った場合に、その履歴を示すコンテンツ転送履歴データを更新し、前記携帯通信装置は、サーバとの通信時に、前記コンテンツ転送履歴データを前記サーバに送信する。
好適には、本発明のサービス提供方法では、前記サーバは、前記携帯通信装置から受信した前記コンテンツ転送履歴データを基に、同じあるいは同種のデジタルコンテンツデータを近距離通信で転送したユーザグループを対象として所定のサービスを提供するための処理を行う。
【００１２】
本発明の処理装置は、携帯通信装置と直接あるいは間接的に近接通信を行う通信手段と、広告画像とデジタルコンテンツデータとを対応づけて記憶する記憶手段と、ディスプレイと、前記通信手段を介して前記携帯通信装置から受信した属性データを基に前記記憶手段から選択して読み出した前記広告動画とそれに対応付けられたデジタルコンテンツデータを前記通信手段を介して前記携帯通信装置に送信し、当該送信の間に、前記記憶手段から前記属性データを基に選択して読み出した前記広告画像を前記ディスプレイに表示する制御手段とを有する。
【００１３】
本発明のサーバは、携帯通信装置が、所定の場所に設置された処理装置と近接通信を行って広告動画とそれに対応付けられたデジタルコンテンツデータを受信し、前記処理装置と通信中で前記広告動画が受信完了するまでの間、予め取得したデフォルト広告画像を前記携帯通信装置のディスプレイに表示するシステムに用いられるサーバであって、前記携帯通信装置が前記デジタルコンテンツデータの利用をするため会員登録処理を行う会員登録手段と、前記携帯通信装置との間で通信を行っている間に、当該携帯通信装置に記憶されている前記デフォルト広告画像を更新する更新手段とを有する。
【００１４】
本発明の携帯通信装置は、デフォルト広告画像を記憶する記憶手段と、所定の場所に設置された処理装置と直接あるいは間接にて近接通信機能を備え、処理装置と近接通信を行って広告動画とそれに対応付けられたデジタルコンテンツデータを受信して前記記憶手段に書き込む処理回路と、ディスプレイと、ネットワーク通信手段と、前記処理装置から前記広告画像を近接通信により受信完了するまでの間、前記メモリに記憶された前記デフォルト広告画像を前記ディスプレイに表示し、前記処理装置から前記広告画像の受信を完了した後は当該受信した広告画像を前記ディスプレイに表示する制御手段とを有する。
【００１５】
好適には、本発明の携帯通信装置の前記制御手段は、前記ネットワーク通信手段を介してサーバと通信中に当該サーバから受信したデフォルト広告画像で前記メモリに記憶された前記デフォルト広告画像を更新する。
【発明の効果】
【００１６】
本発明によれば、携帯通信装置がサーバと通信を行う際の待ち時間を効率的に利用することができるサービス提供方法、処理装置および携帯通信装置を提供することができる。
【発明を実施するための最良の形態】
【００１７】
＜第１実施形態＞
図１は、本発明の第１実施形態に係る通信システム１の全体構成図である。
図１に示すように、通信システム１は、例えば、携帯電話１２−１，１２−２、パーソナルコンピュータ１４、Ｒ／Ｗ装置１６、Ｗｅｂサーバ２４を有する。
通信システム１において、パーソナルコンピュータ１４およびＲ／Ｗ装置１６は、例えば、店舗や駅構内等に設置されている。
なお、本実施携帯では、２台の携帯電話１２−１，１２−２を例示したが、携帯電話の数は任意である。
ここで、携帯電話１２−１，１２−２が本発明の携帯通信装置の一例であり、パーソナルコンピュータ１４が本発明の処理装置の一例であり、Ｗｅｂサーバ２４が本発明のサーバの一例である。
【００１８】
［携帯電話１２−１，１２−２］
携帯電話１２−１，１２−２は、ネットワーク通信により、他の機器と移動通信する機能を備えている。携帯電話１２−１，１２−２は、インターネットに接続可能である。当該移動通信に用いられる通信網は、ＣＤＭＡ(Code Division Multiple Access)、ＰＤＣ(Personal
Digital Cellular)、ＰＤＣ−Ｐ(PDC-Packet)方式、ＩＭＴ−２０００方式などが用いられる。
【００１９】
また、携帯電話１２−１，１２−２は、ユーザが店舗や会場などでＲ／Ｗ装置１６に近づけられると、Ｒ／Ｗ装置１６との間で近接通信を行う。また、ユーザの操作に応じてコンテンツデータをダウンロードするために用いられる。
【００２０】
図２は、図１に示す携帯電話１２−１，１２−２の機能ブロック図である。
図２に示すように、携帯電話１２−１，１２−２は、例えば、通信機能部５２、ディスプレイ５４、操作部５６、メモリ５８および処理回路５９を有している。
本実施形態で規定する携帯電話１２−１，１２−２の処理は、メモリ５８に記憶されているプログラムを処理回路５９が実行して実現される。このとき、当該実行に用いるデータを適宜、メモリ５８から読み出し、あるいはメモリ５８に書き込む。
【００２１】
携帯電話１２−１，１２−２には、非接触方式の近接通信を行うＩＣチップ５５が組み込まれており、当該ＩＣチップにはユニークな識別情報であるＩＣＩＤが設定されている。
本実施形態では、例えば、ＩＣチップ５５を用いて携帯電話１２−１，１２−２がＲ／Ｗ装置１６と近接通信を行う。ＩＣチップ５５は、耐タンパ性のモジュールであり、内部解析（リバース・エンジニアリング）や改変に対する防護機能を備えている。
ＩＣチップ５５は、携帯電話１２−１，１２−２に対して固定式、あるいは着脱可能に内蔵されている。ＩＣチップ５５としては、例えば、ソニー株式会社製の“Ｆｅｌｉｃａ（登録商標）”が用いられる。
【００２２】
携帯電話１２−１，１２−２の代わりに、携帯型ゲーム機やＰＤＡ等の携帯型情報処理装置等であってもよい。
【００２３】
［パーソナルコンピュータ１４］
パーソナルコンピュータ１４は、例えば、インタフェース６２、ディスプレイ６４、メモリ６８および処理回路６９を有する。
パーソナルコンピュータ１４は、店舗等に設置され、Ｒ／Ｗ装置１６を介して携帯電話１２−１と通信を行う。
パーソナルコンピュータ１４の処理は、処理回路６９によって統括的に制御される。
なお、メモリ４８は、着脱可能な半導体メモリであってもよい。
【００２４】
［Ｒ／Ｗ装置１６］
Ｒ／Ｗ装置１６は、携帯電話１２−１との間で近接通信を行う。
当該近接通信のプロトコルとしては、例えば、ＮＦＣ(Near Field
Communication)、ＩＳＯ／ＩＥＣ１４４４３、Ｂｌｕｅｔｏｏｔｈ，ＵＷＢ(Ultra Wide
Band)、ＩＥＥＥ８０２．１１ｂなどが用いられる。
当該近接通信は、接触式および非接触式のいずれでもよい。
Ｒ／Ｗ装置１６は、店舗等に設置されている。
【００２５】
［Ｗｅｂサーバ２４］
図４に示すように、Ｗｅｂサーバ２４は、例えば、インタフェース６２、メモリ６８および処理回路６９を有している。
図１に示すように、Ｗｅｂサーバ２４は、例えば、ＡＰＬ会員登録部３１、ＡＰＬダウンロード部３２、ＡＰＬ固有サービス提供部３３、広告会員登録部３４、制御部３５を機能ブロックとして有する。
ＡＰＬ会員登録部３１は、後述するアプリケーションプログラムＡＰＬのダウンロードに先だった会員登録処理等を行う。
ＡＰＬダウンロード部３２は、上記アプリケーションプログラムＡＰＬのダウンロード処理を行う。
【００２６】
ＡＰＬ固有サービス提供部３３は、コンテンツ販売、店等の検索サービス、写真プリントサービス等のアプリケーションプログラムＡＰＬを用いたサービス処理を行う。
広告会員登録部３４は、デジタルコンテンツデータの利用するための下院登録処理を行う。
制御部３５は、メモリ７８に記憶された所定のプログラムを実行してＷｅｂサーバ２４の処理を統括的に管理する。
【００２７】
図１に示すＷｅｂサーバ２４の各機能ブロックは、メモリ６８、あるいはメモリ６８に記憶されているプログラムを処理回路６９が実行して実現される。このとき、当該実行に用いるデータを適宜、メモリ６８から読み出し、あるいはメモリ６８に書き込む。
【００２８】
以下、図１に示す通信システム１の動作例を説明する。
図５〜７は、図１に示す通信システム１において、携帯電話１２−１，１２−２が、デジタルコンテンツデータを取得する際の動作例を説明するためのフローチャートである。
【００２９】
ユーザは、店舗や駅構内などに出向いたときに、そこに設置されたＲ／Ｗ装置１６に携帯電話１２−１をタッチするなどして近づける（ステップＳＴ１１）。これにより、Ｒ／Ｗ装置１６と携帯電話１２−１との間で近接通信が行われる。
パーソナルコンピュータ１４は、Ｒ／Ｗ装置１６を介して携帯電話１２−１が所定のアプリケーションプログラムＡＰＬをダウンロード済みか否かを検証し、未ダウンロードであると判断した場合には、Ｗｅｂサーバ２４のダウンロード用のＵＲＬを携帯電話１２−１に通知する（ステップＳＴ１２）。
アプリケーションプログラムＡＰＬは、例えば、パーソナルコンピュータ１４が提供する各サービス毎に用意されている。
【００３０】
携帯電話１２−１は、ステップＳＴ１２で受信した上記ＵＲＬを基にＷｅｂサーバ２４にアクセスを行い、アプリケーションプログラムＡＰＬをダウンロードする（ステップＳＴ１３）。
携帯電話１２−１は、アプリケーションプログラムＡＰＬを図２に示すメモリ５８に書き込む。
このとき、アプリケーションプログラムＡＰＬ内にはデフォルト広告動画が設定されている。本実施形態では、デフォルト広告動画にはデジタルコンテンツデータは対応付けられていない。
なお、本実施形態では、携帯電話１２−１，１２−２の各々に格納されたデフォルト広告動画の数は任意である。
【００３１】
ユーザは携帯電話１２−１を用いてパーソナルコンピュータ１４から特定のサービスを受けようとする場合に、図２に示す処理回路５９は、メモリ５８からアプリケーションプログラムＡＰＬを読み出して起動する。このとき、処理回路５９は、起動中に、デフォルト広告動画をメモリ５８から読み出して再生し、ディスプレイ５４に表示する。
【００３２】
携帯電話１２−１は、アプリケーションプログラムＡＰＬの機能を用いて、Ｒ／Ｗ装置１６を介してパーソナルコンピュータ１４と通信を行う。
当該通信により、携帯電話１２−１は、所定のサービス要求と共に、図２に示すメモリ５８にキャッシュ（記憶）されている属性データ、広告動画とデジタルコンテンツデータの一覧データをパーソナルコンピュータ１４に送信する（ステップＳＴ１４）。パーソナルコンピュータ１４は、携帯電話１２−１から受信した上記データを図３に示すメモリ６８に書き込む。
このとき、広告動画は近接通信でパーソナルコンピュータ１４から携帯電話１２−１に送信するのではなく、広告動画のアドレス（ＵＲＬ）のみをパーソナルコンピュータ１４から携帯電話１２−１に送信してもよい。この場合には、携帯電話１２−１が上記アドレスを基にＷｅｂサーバ２４にアクセスを行い、広告動画をダウロードする。
当該属性データは、例えば、携帯電話１２−１のユーザの年齢、性別、好み等に関するユーザの属性に関するものである。当該属性データは、例えば、携帯電話１２−１がアプリケーションプログラムＡＰＬをダウンロードするとき等に、ユーザによる入力操作によって設定されてもよいし、ダウンロード後の所定のタイミングで設定されてもよい。
【００３３】
パーソナルコンピュータ１４は、ステップＳＴ１４で受信した属性データを基に、携帯電話１２−１のユーザの好みに適合した広告動画を図３に示すメモリ６８から読み出して再生し、ディスプレイ６４に表示する処理を開始する（ステップＳＴ１５）。
このとき、パーソナルコンピュータ１４は、広告動画と同期させて広告音声（音響）を出力してもよい。
【００３４】
パーソナルコンピュータ１４は、ステップＳＴ１４で受信した属性データと一覧データを基に、携帯電話１２−１に送信する広告動画とデジタルコンテンツデータを選択する（ステップＳＴ１６）。
すなわち、パーソナルコンピュータ１４の処理回路６９は、携帯電話１２−１から受信した属性データを基に、メモリ６８に予め記憶されているパーソナルコンピュータ１４が提供可能な広告動画およびデジタルコンテンツデータの一覧のなかで、携帯電話１２−１のユーザの好みに適合した一覧を作成する。
そして、当該作成した一覧のなかで、携帯電話１２−１から受信した一覧データのなかにない広告動画およびデジタルコンテンツデータを選択する。
【００３５】
パーソナルコンピュータ１４の処理回路６９は、ステップＳＴ１４で受信したサービス要求に必要なデータをメモリ６８から読み出す。
そして、パーソナルコンピュータ１４は、上記読み出したサービスに必要なデータと、ステップＳＴ１６で選択した広告動画およびデジタルコンテンツデータを、Ｒ／Ｗ装置１６を介して携帯電話１２−１に送信する（ステップＳＴ１７）。
このとき、広告動画とデジタルコンテンツデータとは一対一に対応づけられている。デジタルコンテンツデータは、例えば、ライブ動画、まんが動画、着信メロディー、待ち受け画面等のデータである。また、デジタルビデオデータは、携帯電話１２−１，１２−２のユーザがＷｅｂサーバ２４に会員登録をしていることを条件に利用可能になっている。
パーソナルコンピュータ１４から携帯電話１２−１にデータを送信中は、ステップＳＴ１５で介した広告動画がパーソナルコンピュータ１４のディスプレイ６４に表示されている。
【００３６】
各デジタルコンテンツデータには、その使用条件を示したコンテンツ使用許諾データが関連付られている。携帯電話１２−１の処理回路５９は、デジタルコンテンツデータを利用する際に、それに関連付けられているコンテンツ使用許諾データを基に、その利用の可否を判断する。
【００３７】
携帯電話１２−１は、ステップＳＴ１７で受信した各種データをメモリ５８に書き込む（ステップＳＴ１８）。
このとき、携帯電話１２−１の処理回路５９は、パーソナルコンピュータ１４との通信中に、広告動画の受信を完了するまでの間、メモリ５８に記憶されているデフォルト広告動画をディスプレイ５４に表示する。
また、処理回路５９は、上記広告動画の受信を完了すると、メモリ５８に記憶された当該受信完了した広告動画をディスプレイ５４に表示する（ステップＳＴ１８）。
処理回路５９は、メモリ５８に複数の広告動画が記憶されている場合に、予め決められた順に広告動画を表示する処理を行う。このとき、例えば、携帯電話１２−１のユーザの属性データを基に、広告動画に優先順を付け、その優先順にが高い順に広告動画を順次表示するようにしてもよい。
【００３８】
その後、携帯電話１２−１は、例えば、ユーザによる操作部５６の操作等に応じて、Ｗｅｂサーバ２４にアクセスを行う。
当該アクセスにより、Ｗｅｂサーバ２４の処理回路７９は、メモリ７８からデフォルト動画を読み出して携帯電話１２−１に送信する（ステップＳＴ１９）。当該デフォルト動画像は、例えば、広告枠が一番高く設定されている。
このとき、Ｗｅｂサーバ２４は、携帯電話１２−１から属性データを受信し、当該属性データを基に、携帯電話１２−１のユーザの好みに適合したドフォルト動画を選択して携帯電話１２−１に送信する。
携帯電話１２−１は、Ｗｅｂサーバ２４から受信したデフォルト動画像を図２に示すメモリ５８に書き込む。
【００３９】
携帯電話１２−１は、広告動画に関連付けられたデジタルコンテンツデータを利用（再生）するために、会員登録要求をＷｅｂサーバ２４に送信する（ステップＳＴ２０）。
Ｗｅｂサーバ２４は、携帯電話１２−１からの会員登録要求に応じて、携帯電話１２−１あるいはそのユーザの会員登録処理を行う（ステップＳＴ２１）。当該登録処理の最中に、携帯電話１２−１の処理回路５９は広告動画をメモリ５８から読み出して再生し、ディスプレイ５４に表示する。
当該会員登録では、年齢、性別、好み、地域等の情報が携帯電話１２−１からＷｅｂサーバ２４に送信されて登録される。
【００４０】
来店者の友人である非来店者が、携帯電話１２−２を操作してアプリケーションプログラムＡＰＬを使用するための会員登録要求をＷｅｂサーバ２４に送信する（ステップＳＴ２２）。携帯電話１２−２が既にアプリケーションプログラムＡＰＬをダウンロードしている場合には当該処理は不要である。
Ｗｅｂサーバ２４は、上記会員登録要求に応じて会員登録処理を行い、アプリケーションプログラムＡＰＬを携帯電話１２−２にダウンロードさせる（ステップＳＴ２３）。
携帯電話１２−２は、当該アプリケーションプログラムＡＰＬを図２に示すメモリ５８に書き込む。
【００４１】
携帯電話１２−２のユーザにとって興味があるデジタルコンテンツデータが携帯電話１２−１に記憶されている場合に、携帯電話１２−１と携帯電話１２−２とをタッチ等して近接通信を行う（ステップＳＴ２４）。
このとき、携帯電話１２−１は、送信する広告動画およびデジタルコンテンツデータを指定する。
【００４２】
携帯電話１２−１は、図２に示すメモリ５８から上記指定された広告動画およびデジタルコンテンツデータを読み出し、近接通信により、携帯電話１２−２に送信する（ステップＳＴ２５）。携帯電話１２−２は、携帯電話１２−１から受信した広告動画およびデジタルコンテンツデータを図２に示すメモリ５８に書き込む。
当該通信の最中に、携帯電話１２−１は、メモリ５８から広告動画を読み出して再生してディスプレイ５４に表示する。
また、当該通信の最中に、携帯電話１２−２は、メモリ５８からデフォルト画像を読み出して再生してディスプレイ５４に表示する。
【００４３】
携帯電話１２−２のユーザは、ステップＳＴ２５で受信したデジタルビデオデータを利用（再生）するために、会員登録要求をＷｅｂサーバ２４に送信する（ステップＳＴ２６）。
Ｗｅｂサーバ２４は、携帯電話１２−２からの会員登録要求に応じて、携帯電話１２−２あるいはそのユーザの会員登録処理を行う（ステップＳＴ２７）。当該登録処理の最中に、携帯電話１２−２の処理回路５９は広告動画をメモリ５８から読み出して再生し、ディスプレイ５４に表示する。
これにより、携帯電話１２−２において、メモリ５８に記憶された上記受信したデジタルコンテンツデータの利用が可能になる。携帯電話１２−２は、ユーザの操作に応じて、メモリ５８から上記デジタルコンテンツデータを読み出して再生する。
【００４４】
以上説明したように、通信システム１によれば、携帯電話１２−１がＲ／Ｗ装置１６を介してパーソナルコンピュータ１４と通信中に、携帯電話１２−１およびパーソナルコンピュータ１４のディスプレイ５４，６４に広告動画を表示する。
そのため、携帯電話１２−１のユーザは、通信終了までの待ち時間にディスプレイ５４，６４に表示された広告動画を見ることになり、広告効果を高めることができる。
【００４５】
また、通信システム１によれば、携帯電話１２−１がパーソナルコンピュータ１４と通信する際に、携帯電話１２−１の属性データを基に選択された広告動画が携帯電話１２−１からパーソナルコンピュータ１４に送信され蓄積される。そのため、携帯電話１２−１のユーザの好みに適合した広告動画を表示することができる。
また、広告動画は、上記通信の度に更新されるため、携帯電話１２−１のディスプレイ５４に複数の種類の広告動画を表示でき、広告サービスとしてのビジネス価値を高めることができる。
【００４６】
また、通信システム１によれば、携帯電話１２−１がパーソナルコンピュータ１４との通信中に広告動画を受信中のときには、Ｗｅｂサーバ２４との通信で予め取得したデフォルト広告動画を表示する。そのため、当該通信中に広告動画が表示されてない期間を短縮できる。
また、携帯電話１２−１とパーソナルコンピュータ１４との通信開始時に、上記デフォルト広告動画は必ず表示されるため、予め広告効果の高い、広告として位置付けることができる。
また、通信システム１では、携帯電話１２−１がＷｅｂサーバ２４と通信する際に、上記デフォルト広告動画を更新する。そのため、デフォルト広告画像の表示形態を多様化できる。
【００４７】
また、通信システム１では、上述したように携帯電話１２−１においてアプリケーションプログラムＡＰＬを起動中にもデフォルト広告動画をディスプレイ５４に表示する。これによっても、広告効果を高めることができる。
【００４８】
＜第２実施形態＞
上述した実施形態では、パーソナルコンピュータ１４から携帯電話１２−１に広告動画とデジタルコンテンツデータとを送信する際に、これらの組み合わせは固定であった。
本実施形態では、パーソナルコンピュータ１４とＷｅｂサーバ２４に、具体的に許容可能な組合せを示す組み合わせデータＣＯＮを持つことで、広告動画とデジタルコンテンツデータとの組み合わせを動的な変化させることができる。
【００４９】
ところで、デジタルコンテンツデータの内容によっては、広告動画の内容によっては組合せたくないという要請を広告主から受ける場合があり、また、広告動画に関係した肖像権に関しては期限切れという可能性もある。
上記組み合わせデータＣＯＮは、このような場合を想定して、予め許容されるあるいは拒否される、広告動画とデジタルコンテンツデータとの組み合わせパターンを示している。
【００５０】
本実施携帯では、例えば、携帯電話１２−１，１２−２がアプリケーションプログラムＡＰＬをＡＰＬダウンロード部３２からダウンロードする際に、携帯電話１２−１，１２−２のメモリ５８に上記組み合わせデータＣＯＮが書き込まれる。
携帯電話１２−１，１２−２の処理回路５９は、デジタルコンテンツデータの利用が指定された場合に、その利用に先だって、当該指定されたデジタルコンテンツデータに対応づけられた広告動画を上記組み合わせデータＣＯＮを基に特定して再生（表示）する。
【００５１】
また、携帯電話１２−１がＲ／Ｗ装置１６を介してパーソナルコンピュータ１４と通信を行う際に、パーソナルコンピュータ１４から携帯電話１２−１にそのタイミングで最適な組合せデータが送信（通知）される。携帯電話１２−１，１２−２は、最初はデフォルトの組合せデータによる広告動画が表示されるが、次回、パーソナルコンピュータ１４と通信を行った後からは、パーソナルコンピュータ１４から受信した新たな組合せデータを基に広告動画が表示される。
【００５２】
その際に、携帯電話１２−１，１２−２は、広告動画を再生期限内であることを条件に表示する。
また、携帯電話１２−１，１２−２は、広告動画が、再生期限内でないと判断した場合には、デフォルト広告動画を表示する。
さらに、携帯電話１２−１，１２−２は、デフォルト広告動画が再生期限内ではないと判断した場合には、動画表示は行わない。
このように、広告期限が過ぎる場合があるため、携帯電話１２−１，１２−２はＷｅｂサーバ２４と通信中にデフォルト広告動画を自動更新する。
【００５３】
本実施携帯によれば、上述したように広告動画とデジタルコンテンツデータとの組み合わせを示す組み合わせデータＣＯＮを更新できるようにすることで、広告動画とデジタルコンテンツデータとを柔軟に変更できる。そのため、広告動画を適切なデジタルコンテンツデータに柔軟に対応づけることが可能になり、広告効果を高めることができる。
【００５４】
＜第３実施形態＞
本実施形態では、携帯電話１２−１，１２−２が他の携帯電話と通信によりデジタルコンテンツデータを送受信した履歴を示すコンテンツ転送履歴データＴＤを作成および記憶し、これをＷｅｂサーバ２４が最終的に収集する。
【００５５】
すなわち、携帯電話１２−１，１２−２は、他の携帯電話とデジタルコンテンツデータの送受信を行うと、その履歴をメモリ５８に記憶されたコンテンツ転送履歴データＴＤに追加する。
【００５６】
また、携帯電話１２−１，１２−２は、Ｗｅｂサーバ２４にアクセスをする際に、例えば、アプリケーションプログラムＡＰＬをダウンロードする際や、広告会員登録処理を行う際に、メモリ５８からコンテンツ転送履歴データＴＤを読み出してＷｅｂサーバ２４に送信する。
【００５７】
これにより、Ｗｅｂサーバ２４は、コンテンツ転送履歴データＴＤを基に、デジタルコンテンツデータの属性に基づいた嗜好性ネットワークの系統を把握できる。
また、Ｗｅｂサーバ２４は、携帯電話１２−１，１２−２の属性データを取得して保存することで、属性データ内にメールアドレス等のコンタクト情報を基に、人脈マップのようなＳＮＳを構築できる。
【００５８】
そして、Ｗｅｂサーバ２４のＥＣ部３６は、上記構築したＳＮＳを活用したサービスとして、上記デジタルコンテンツデータに関連する商材を販売して、ＥＣ購買に応じたポイントを獲得するような通常のサービスだけでなく、紹介者に対してもポイントの一部が獲得されるようなサービスを提供する。
【００５９】
例えば、コンテンツ転送履歴データＴＤに示されるデジタルコンテンツデータの内容が「芸能人の写真」であった場合など、その芸能人のグッズ等をＥＣ購買することを促進できる情報伝達ネットワークとして上記ＳＮＳが利用できる。
そのため、Ｗｅｂサーバ２４は、ある会員登録したユーザがグッズを購入した場合、その紹介者に購入金額により獲得されるポイントの一部が自動的に加算されるような仕組み（サービス）を提供できる。
また、Ｗｅｂサーバ２４のＥＣ部３５は、携帯電話１２−１，１２−２に表示された広告動画にあるリンクから商品購入ができるようにしてもよい。この場合に、Ｗｅｂサーバ２４は、広告動画の送信元の携帯電話１２−１にポイントを還元するサービスを行ってもよい。このとき、何世代に遡ってポイントを還元するようにしてもよい。
【００６０】
また、Ｗｅｂサーバ２４は、上記ＳＮＳを利用して、他のサービスとしては、デジタルコンテンツデータに依存した嗜好性ネットワークであるという特長を活かして、関連したアンケートをネットワーク上に流して、答えてもらうサービスを提供できる。
また、Ｗｅｂサーバ２４は、必要ならば、アンケート回答者にポイントを付与することで、デジタルコンテンツデータの嗜好性に敏感なユーザ群から的確な情報が取得できる可能性がある。
【００６１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６２】
また、Ｒ／Ｗ装置１６等の設置場所は、上述した場所には特に限定されない。
また、上述した実施形態では、本発明の広告画像として、広告動画を例示したが、広告静止画像でもよい。また、複数の広告静止画像を所定の時間間隔で切り替えるようにしてもよい。
【産業上の利用可能性】
【００６３】
本発明は、広告を使いながらコンテンツを提供するサービスを行うシステムに適用可能である。
【図面の簡単な説明】
【００６４】
【図１】図１は、本発明の第１実施形態に係る通信システムの全体構成図である。
【図２】図２は、図１に示す携帯電話の機能ブロック図である。
【図３】図３は、図１に示すパーソナルコンピュータの機能ブロック図である。
【図４】図４は、図１に示すＷｅｂサーバの機能ブロック図である。
【図５】図５は、図１に示す通信システムの動作例を説明するためのフローチャートである。
【図６】図６は、図１に示す通信システムの動作例を説明するための図５の続きのフローチャートである。
【図７】図７は、図１に示す通信システムの動作例を説明するための図６の続きのフローチャートである。
【図８】図８は、本発明の第２実施形態に係る通信システムの全体構成図である。
【図９】図９は、本発明の第３実施形態に係る通信システムの全体構成図である。
【符号の説明】
【００６５】
１…通信システム
１２−１，１２−２…携帯電話
１４…パーソナルコンピュータ
１６…Ｒ／Ｗ装置
２４…Ｗｅｂサーバ
【図１】
2010068106.tif 000003
【図２】
2010068106.tif 000004
【図３】
2010068106.tif 000005
【図４】
2010068106.tif 000006
【図５】
2010068106.tif 000007
【図６】
2010068106.tif 000008
【図７】
2010068106.tif 000009
【図８】
2010068106.tif 000010
【図９】
2010068106.tif 000011